(57)【要約】【課題】パルス光を用いた故障箇所の検出において、分解能の低下を抑えつつより長い距離にわたって故障箇所を検出すること。【解決手段】検査信号としてパルス光を伝送路へ出力する変調部と、前記伝送路において前記パルス光が反射又は散乱することによって生じる光である反射光を変換することによって電気信号を生成する変換部と、前記電気信号に対し、波長分散補償を行う波長分散補償部と、波長分散補償が行われた前記電気信号において、前記伝送路の故障箇所で前記パルス光が反射することによって生じる戻り光に由来する電気信号を検出する戻り光検出部と、前記戻り光に由来する電気信号に基づいて、前記故障箇所を判定する解析部と、を備える光送受信器である。【選択図】図１
2019128186.tif 000002
【特許請求の範囲】
【請求項１】
検査信号としてパルス光を伝送路へ出力する変調部と、
前記伝送路において前記パルス光が反射又は散乱することによって生じる光である反射光を変換することによって電気信号を生成する変換部と、
前記電気信号に対し、波長分散補償を行う波長分散補償部と、
波長分散補償が行われた前記電気信号において、前記伝送路の故障箇所で前記パルス光が反射することによって生じる戻り光に由来する電気信号を検出する戻り光検出部と、
前記戻り光に由来する電気信号に基づいて、前記故障箇所を判定する解析部と、
を備える光送受信器。
【請求項２】
前記解析部は、前記戻り光が自装置に到達するまでの時間を取得する際に、前記波長分散補償部における波長分散補償の処理に要した時間を除いた時間を取得する、請求項１に記載の光送受信器。
【請求項３】
前記波長分散補償部における波長分散補償の補償量を決定する制御部をさらに備える請求項１又は２に記載の光送受信器。
【請求項４】
前記制御部は、前記変調部において順に狭いパルス幅のパルス光が出力されるように制御を行い、各パルス光に基づいて推定される故障箇所に応じて前記補償量を決定する、請求項３に記載の光送受信器。
【請求項５】
前記制御部は、複数の異なる補償量で前記波長分散補償が行われるように前記波長分散補償部を制御し、各波長分散補償の結果に応じて前記補償量を決定する、請求項３に記載の光送受信器。
【発明の詳細な説明】
【技術分野】
【０００１】
本発明は、光送受信器に関する。
【背景技術】
【０００２】
光通信システムの運用中になんらかの原因で光ファイバの特性が悪化した場合、原因の特定にＯＴＤＲ（Optical Time Domain Reflectometer）装置（例えば、特許文献１参照）が用いられる。ＯＴＤＲにより、いずれの地点で破断や曲げ等が生じているかを調べることができる。ＯＴＤＲは、検査信号としてパルス光を用いる場合がある。ＯＴＤＲ装置の設置位置から故障箇所までの距離が長い場合には、波長分散の影響により、戻ってくるパルス光の電力が低下してしまうおそれがある。従来は、このような問題を解決するために、周波数帯域が狭いパルス光（時間間隔が広いパルス光）が用いられていた。
【先行技術文献】
【特許文献】
【０００３】
【特許文献１】特許第５９４１８７７号公報
【発明の概要】
【発明が解決しようとする課題】
【０００４】
しかしながら、周波数帯域が狭いパルス光が用いられてしまうと、故障箇所の分解能が低下してしまうという問題があった。
【０００５】
上記事情に鑑み、本発明は、パルス光を用いた故障箇所の検出において、分解能の低下を抑えつつより長い距離にわたって故障箇所を検出することを可能とする光送受信器を提供することを目的としている。
【課題を解決するための手段】
【０００６】
本発明の一態様は、検査信号としてパルス光を伝送路へ出力する変調部と、前記伝送路において前記パルス光が反射又は散乱することによって生じる光である反射光を変換することによって電気信号を生成する変換部と、前記電気信号に対し、波長分散補償を行う波長分散補償部と、波長分散補償が行われた前記電気信号において、前記伝送路の故障箇所で前記パルス光が反射することによって生じる戻り光に由来する電気信号を検出する戻り光検出部と、前記戻り光に由来する電気信号に基づいて、前記故障箇所を判定する解析部と、を備える光送受信器である。
【０００７】
本発明の一態様は、上記の光送受信器であって、前記解析部は、前記戻り光が自装置に到達するまでの時間を取得する際に、前記波長分散補償部における波長分散補償の処理に要した時間を除いた時間を取得する。
【０００８】
本発明の一態様は、上記の光送受信器であって、前記波長分散補償部における波長分散補償の補償量を決定する制御部をさらに備える。
【０００９】
本発明の一態様は、上記の光送受信器であって、前記制御部は、前記変調部において順に狭いパルス幅のパルス光が出力されるように制御を行い、各パルス光に基づいて推定される故障箇所に応じて前記補償量を決定する。
【００１０】
本発明の一態様は、上記の光送受信器であって、前記制御部は、複数の異なる補償量で前記波長分散補償が行われるように前記波長分散補償部を制御し、各波長分散補償の結果に応じて前記補償量を決定する。
【発明の効果】
【００１１】
本発明により、パルス光を用いた故障箇所の検出において、分解能の低下を抑えつつより長い距離にわたって故障箇所を検出することが可能となる。
【図面の簡単な説明】
【００１２】
【図１】光トランシーバーの構成を示す機能ブロック図である。
【図２】光トランシーバーの他の構成を示す機能ブロック図である。
【図３】光トランシーバーのさらに他の構成を示す機能ブロック図である。
【図４】パルスの検査信号を示す図である。
【図５】反射光が変換された電気信号の電力の時間変化を示すグラフである。
【図６】ＤＳＰが行う解析処理の概略の具体例を示す図である。
【図７】ＤＳＰの構成を示す機能ブロック図である。
【図８】測定品質を向上させるための検査信号の調整方法を示す図である。
【図９】光トランシーバーのＷＤＭへの適用例を示す図である。
【図１０】光トランシーバーのＷＤＭへの他の適用例を示す図である。
【図１１】パルス光のパルス幅と電力との関係を示す図である。
【図１２】パルス光のパルス幅と電力との関係を示す図である。
【発明を実施するための形態】
【００１３】
以下、図面を参照しながら本発明の実施形態を詳細に説明する。
本実施形態では、デジタルコヒーレント光伝送で用いられる光トランシーバーにサーキュレータ等を付加し、ＯＴＤＲと同等の伝送特性測定機能を持たせる。これにより、光通信システムにおける故障発生時に、光トランシーバーによる測定を可能とする。
【００１４】
図１は、本発明の実施形態による光トランシーバー１の構成を示す機能ブロック図であり、本実施形態と関係する機能ブロックのみを抽出して示してある。同図に示す光トランシーバー１は、ＤＳＰ（Digital Signal Processor）１０と、ＤＡＣ（Digital Analog Converter）１１と、ＬＤ（Laser Diode）１２と、ＩＱＭ（IQ Modulator）１３と、サーキュレータ１４と、ＳＷ（スイッチ）１５と、ＩＣＲ（Integrated Coherent Receiver）１６と、ＡＤＣ（Analog Digital Converter）１７とを備える。なお、ＤＡＣ１１及びＡＤＣ１７に相当する構成は、ＤＳＰ１０内部に設けられてもよい。
【００１５】
光トランシーバー１は、ＤＳＰ１０の内部でトランシーバーモードとＯＴＤＲモードとを有する点が従来のＣ−ＯＴＤＲ（コヒーレントＯＴＤＲ）と異なる。光トランシーバー１は、トランシーバーモードにおいて、例えば、１００Ｇ（ギガ）や１００Ｇ超の信号伝送を行う。光トランシーバー１は、ＯＴＤＲモードにおいて、検査信号を出力し、戻り光を受けてファイバの特性を測定する。
【００１６】
ＤＳＰ１０は、モードに応じた電気信号を生成し、ＤＡＣ１１を介してＩＱＭ１３に出力する。また、ＤＳＰ１０は、ＡＤＣ１７を介してＩＣＲ１６から電気信号を入力し、モードに応じて復調処理又は測定処理を行う。測定処理では、伝送路に関する測定を行う。ＤＡＣ１１は、ＤＳＰ１０から出力されたデジタルの電気信号に対してデジタルアナログ変換処理を行う。ＤＡＣ１１は、アナログの電気信号をＩＱＭ１３に出力する。ＬＤ１２は、所定の波長のレーザー光を発生する。ＩＱＭ１３は、ＬＤ１２が発生する光により、ＤＳＰ１０から入力した電気信号を変調して光変調信号を生成する。サーキュレータ１４は、３つのポートを有し、あるポートから入力された光信号を次のポートに出力する。サーキュレータ１４は、ＩＱＭ１３が出力した光信号を入力して伝送路へ出力し、伝送路からの反射光を入力してＳＷ１５に出力する。ＳＷ１５は、他の光通信機器から送信され、伝送路を伝送した光信号と、サーキュレータ１４が出力した反射光とのいずれを入力するかを切り替える。ＳＷ１５は入力した信号を、ＩＣＲ１６に出力する。ＩＣＲ１６は、例えば９０度光ハイブリッド及び受光素子（ＰＤ：Photo Diode）を用いて構成される。ＩＣＲ１６は、ＬＤ１２が発生する光により、ＳＷ１５から入力した光変調信号を電気信号に変換する。ＡＤＣ１７は、ＩＣＲ１６によって生成されたアナログの電気信号に対してアナログデジタル変換処理を行う。ＡＤＣ１７は、デジタルの電気信号をＤＳＰ１０に出力する。伝送路は、例えば、光ファイバである。
【００１７】
本実施形態では、光通信システムにおいて故障が発生した時に、光トランシーバー１と供に設けられる制御装置２０からの制御に基づきモード変更を行い、光トランシーバー１が送受信する信号を切り替える。このような制御装置２０は、例えばＦＰＧＡ（field-programmable gate array）やＣＰＵ（Central Processing Unit）等のプロセッサを用いて構成される。なお、自局の光トランシーバーの送信部と対向する他局の光トランシーバーの受信部をつなぐ光ファイバに問題が生じたときにＯＴＤＲを使用することが想定される。しかし、他局の光トランシーバーの送信部と自局の光トランシーバーの受信部をつなぐ光ファイバに問題がない場合、そのパスは通信中であり、自局の受信部を使用することは出来ない。そのため、ＯＴＤＲモードを使用する場合は自局と他局をつなぐ光ファイバが同一である場合が望ましい。また、制御装置２０は、光トランシーバー１の内部に設けられてもよい。
【００１８】
続いて、各モードにおける光トランシーバー１の動作について説明する。まず、トランシーバーモードの動作を説明する。光トランシーバー１は、入力された制御信号に従って、ＤＳＰ１０にトランシーバーモードを設定し、ＳＷ１５に伝送路からの入力を設定する。ＤＳＰ１０は、送信データを電気信号に変換し、ＤＡＣ１１を介してＩＱＭ１３に出力する。ＤＡＣ１１は、デジタルの電気信号をアナログの電気信号に変換する。ＩＱＭ１３（変調部）は、アナログの電気信号を、ＬＤ１２が発生する光により光信号に変調して出力する。サーキュレータ１４は、ＩＱＭ１３から入力した光信号を伝送路へ出力し、伝送路からの反射光を入力してＳＷ１５に出力する。ＳＷ１５は、伝送路から光信号を入力し、ＩＣＲ１６に出力する。ＩＣＲ１６（変換部）は、ＳＷ１５から入力した光信号を、ＬＤ１２が発生する光により電気信号に変換する。ＡＤＣ１７は、ＩＣＲ１６によって生成されたアナログの電気信号をデジタルの電気信号に変換する。ＤＳＰ１０は、ＡＤＣ１７から入力した電気信号を、受信データに復調する。
【００１９】
次に、ＯＴＤＲモードの動作を説明する。光トランシーバー１は、入力された制御信号に従って、ＤＳＰ１０にＯＴＤＲモードを設定し、ＳＷ１５にサーキュレータ１４からの入力を設定する。ＤＳＰ１０は、電気の検査信号を生成し、ＤＡＣ１１を介してＩＱＭ１３に出力する。ＤＡＣ１１は、デジタルの電気信号をアナログの電気信号に変換する。ＩＱＭ１３は、アナログの検査信号を、ＬＤ１２が発生する光により光信号に変調して出力する。ＩＱＭ１３から出力される検査用の光信号は、所定の時間幅をもったパルス光である。サーキュレータ１４は、ＩＱＭ１３から入力した光信号を伝送路へ出力し、伝送路からの反射光を入力してＳＷ１５に出力する。ＳＷ１５は、サーキュレータ１４が出力した反射光を入力し、ＩＣＲ１６に出力する。ＩＣＲ１６は、ＳＷ１５から入力した反射光を、ＬＤ１２が発生する光により電気信号に変換する。ＡＤＣ１７は、ＩＣＲ１６によって生成されたアナログの電気信号をデジタルの電気信号に変換する。ＤＳＰ１０は、電気信号に変換された検査信号を用いて、従来のＯＴＤＲと同様に測定項目の解析を行う。測定項目は、例えば、損失、反射、曲げなどの異常箇所判定などである。
【００２０】
図２、図３を用いて、本実施形態の光トランシーバーの他の構成を説明する。
図２は、光トランシーバー１ａの構成を示す機能ブロック図であり、本実施形態と関係する機能ブロックのみを抽出して示してある。同図において、図１に示す光トランシーバー１と同一の部分には同一の符号を付し、その説明を省略する。光トランシーバー１ａが、図１に示す光トランシーバー１と異なる点は、ＳＷ１５に代えて、ＡＴＴ（attenuator）２１、ＡＴＴ２２及びカプラ２３を備える点である。
【００２１】
トランシーバーモードにおいて、ＡＴＴ２１はサーキュレータ１４が出力した光を０に近くなるように減衰させてカプラ２３に出力し、ＡＴＴ２１は伝送路から光信号を入力し、減衰させずにカプラ２３に出力する。一方、ＯＤＴＲモードにおいて、ＡＴＴ２１はサーキュレータ１４が出力した光を減衰させずにカプラ２３に出力し、ＡＴＴ２１は伝送路から入力した光信号を０に近くなるように減衰させてカプラ２３に出力する。カプラ２３は、ＡＴＴ２１が出力した光とＡＴＴ２２が出力した光とを合波して、ＩＣＲ１６に出力する。ＡＴＴ２１、２２が減衰を行うか否かの減衰制御は、外部（例えば制御装置２０）からの制御信号に基づいて行われる。
【００２２】
図３は、光トランシーバー１ｂの構成を示す機能ブロック図であり、本実施形態と関係する機能ブロックのみを抽出して示してある。同図において、図１に示す光トランシーバー１と同一の部分には同一の符号を付し、その説明を省略する。光トランシーバー１ｂが、図１に示す光トランシーバー１と異なる点は、サーキュレータ１４及びＳＷ１５に代えて、カプラ３１、減衰器３２、減衰器３３及びカプラ３４を備える点である。減衰器３２、３３は、ＶＯＡ（可変光減衰器）でもよく、所定の波長の光を減衰させるＡＴＴでもよい。減衰器３２、３３がＶＯＡである場合、減衰器３２はトランシーバーモードで受信する光信号の波長を減衰させ、減衰器３３は、測定対象の波長を減衰させる。光トランシーバー１ｂの構成は、従来の光トランシーバーの構造と親和性がある。
【００２３】
カプラ３１は、ＩＱＭ１３から入力した信号を伝送路、減衰器３２、及び、モニタに分岐する。トランシーバーモードにおいて、減衰器３２はカプラ３１が出力した光を０に近くなるように減衰させてカプラ３４に出力し、減衰器３３は伝送路から入力した光信号を減衰させずにカプラ３４に出力する。一方、ＯＤＴＲモードにおいて、減衰器３２はカプラ３１が出力した光を減衰させずにカプラ３４に出力し、減衰器３３は伝送路から入力した光信号を０に近くなるように減衰させてカプラ３４に出力する。カプラ３４は、減衰器３２が出力した光と減衰器３３が出力した光とを合波して、ＩＣＲ１６及びモニタに出力する。減衰器３２、３３が減衰を行うか否かの減衰制御は、外部（例えば制御装置２０）からの制御信号に基づいて行われる。減衰器３２、３３がＶＯＡである場合、減衰制御を行う対象の波長も、外部（例えば制御装置２０）からの制御信号に基づいて行われる。
【００２４】
上記のように、光トランシーバー１ａのＯＴＤＲモードと信号受信モード（トランシーバーモード）とのモード切り替えは、ＡＴＴ２１、２２で行われ、光トランシーバー１ｂのモード切り替えは、減衰器３２、３３で行われる。なお、ＯＴＤＲモードと信号受信モードの切り替えの頻度は、バースト的または継続的である。バースト信号の伝送の場合、光トランシーバー１、１ａ、１ｂは、バースト信号を受信する間に測定を実施する。
【００２５】
ＯＴＤＲモードにおける検査信号には、通常のＯＴＤＲと同様のパルス光がある。
【００２６】
図４は、パルス光を用いて構成される検査信号を示す図である。ＤＳＰ１０は、パルスの検査信号を生成する。ＤＳＰ１０によって生成されたパルスの検査信号は、ＤＡＣ１１によってアナログ変換される。アナログ変換によって生成された検査信号の具体例が図４に示される波形である。
【００２７】
図５は、ＩＣＲ１６が備える受光素子によって反射光が変換された電気信号の電力の時間変化を示すグラフである。反射光には、検査信号が故障箇所で反射して戻ってきた光（以下「戻り光」という。）、レイリー散乱光、ブルリアン散乱光、ラマン散乱光が含まれる。ＤＳＰ１０は、反射してくるパルスの電力を時系列で並べる。
【００２８】
図６は、ＤＳＰ１０が行う解析処理の概略の具体例を示す図である。図６に示されるグラフは、図５に示される時間と電力との関係を示すグラフを微分することによって得られるグラフである。図６に示されるグラフの横軸は時間を示し、縦軸は電力の微分値を表す。図６のグラフでは、変化が大きい点にピークが生じる。ＤＳＰ１０は、時系列の電力変化にある特異点に基づいて問題箇所を推定する。
【００２９】
図７は、本発明の実施形態によるＤＳＰ１０の構成を示す機能ブロック図であり、ＯＴＤＲモードの動作と関係する機能ブロックのみを抽出して示してある。同図に示すＤＳＰ１０は、ＦＦＴ（Fast Fourier Transform）部１０１、波長分散補償部１０２、制御部１０３、ＩＦＦＴ（Inverse Fast Fourier Transform）部１０４、戻り光検出部１０５及び解析部１０６を備える。
【００３０】
ＦＦＴ部１０１は、ＡＤＣ１７から入力されるデジタルの電気信号に対してＦＦＴを行う。波長分散補償部１０２は、制御部１０３による制御に応じて、ＦＦＴの結果に対して波長分散補償処理を行う。制御部１０３は、ＡＤＣ１７から入力されるデジタルの電気信号に基づいて、波長分散量を判定する。制御部１０３は、判定された波長分散量に基づいて波長分散補償処理を実行するように、波長分散補償部１０２に対して制御信号を出力する。ＩＦＦＴ部１０４は、波長分散補償部１０２によって波長分散補償がなされた電気信号に対し、ＩＦＦＴを行う。戻り光検出部１０５は、ＩＦＦＴの結果に基づいて戻り光に由来する電気信号（以下「戻り光信号」という。）を検出する。解析部１０６は、戻り光信号に基づいて、故障箇所の有無や、故障箇所の検出を行う。
【００３１】
次に、制御部１０３が行う処理の詳細について説明する。波長分散補償部１０２が波長分散を補償する際に、どの程度補償すればよいかを厳密に判断することは、どの地点で戻り光が最大になるか不明であるため難しい。そこで、本実施形態における制御部１０３は、以下のような２つのアルゴリズムのうちいずれかを用いることによって、適切な波長分散補償量を決定する。どのアルゴリズムが用いられるかは、予めＤＳＰ１０において決定されていてもよいし、所定の基準に基づいて適宜選択されてもよい。
【００３２】
１．第一アルゴリズム
第一アルゴリズムでは、制御部１０３は、波長分散値をスイープすることによって、戻り光の感度が最大となる補償値を探索する。制御部１０３は、探索処理の結果に基づいて、適切な波長分補償量を決定する。具体的には、制御部１０３は以下のように処理を行う。
【００３３】
まず、制御部１０３は、予め定められた時間幅のパルス光が検査信号として出力されるように、パルス信号の生成を制御する。最初に出力されるパルス光の時間幅は、その後の処理で用いられるパルス光の時間幅に比べて広い（太い）ことが望ましい。制御部１０３は、最初に出力されるパルス光を用いた処理において、波長分散補償が行われないように波長分散補償部１０２を制御する。解析部１０６は、このような制御の元で検出された戻り光信号に基づいて故障箇所を検出する。制御部１０３は、自装置から検出された故障箇所までの距離の推定値に応じて、波長分散補償量を決定する。次に、制御部１０３は、前回のパルス光よりも狭い（細い）時間幅のパルス光が検査信号として出力されるように、パルス信号の生成を制御する。制御部１０３は、一つ前のパルス光を用いたＯＴＤＲ処理に基づいて決定された波長分散補償量を用いて処理を行うように、波長分散補償部１０２を制御する。このようにパルス光の時間幅を一つ前の処理よりも狭くすることと、一つ前の処理によって決定された波長分散補償量を用いて故障箇所の検出を行うこととが繰り返し実行される。制御部１０３は、繰り返しの終了条件が満たされると、上記の処理を終了する。そして、制御部１０３は、繰り返しの終了条件が満たされた際に得られた波長分散量を、適切な波長分散補償量として決定する。このようにして得られた波長分散補償量を用いたＯＴＤＲ処理による検出結果に基づいて、故障箇所の検出が行われてもよい。また、終了条件が満たされた際に行われたＯＴＤＲ処理による検出結果が、故障箇所の検出結果として用いられてもよい。繰り返しの終了条件は、例えば予め定められた繰り返し回数だけ処理が繰り返して実行されたことであってもよい。繰り返しの終了条件は、例えば得られる推定値等の値の変化（一つ前の処理からの変化）が、所定の閾値よりも小さくなったことであってもよい。繰り返しの終了条件は、他の条件であってもよい。
【００３４】
２．第二アルゴリズム
第二アルゴリズムでは、制御部１０３は、第一アルゴリズムとは異なる方法で波長分散値をスイープすることによって、戻り光の感度が最大となる補償値を探索する。制御部１０３は、探索処理の結果に基づいて、適切な波長分補償量を決定する。具体的には、制御部１０３は以下のように処理を行う。
【００３５】
まず、制御部１０３は、ＯＴＤＲ処理において用いられることが設定されている所定の時間幅のパルス光が検査信号として出力されるように、パルス信号の生成を制御する。第二アルゴリズムでは、第一アルゴリズムとは異なり、パルス信号の時間幅は変化しない。制御部１０３は、最初に出力されるパルス光を用いた処理において、波長分散補償が行われないように波長分散補償部１０２を制御する。解析部１０６は、このような制御の元で検出された戻り光信号に基づいて故障箇所を検出する。制御部１０３は、前回のＯＴＤＲ処理において用いられた波長分散補償量とは異なる波長分散補償量となるように波長分散補償部１０２を制御する。このように異なる波長分散補償量を用いて故障箇所の検出を行うことが繰り返し実行される。制御部１０３は、繰り返しの終了条件が満たされると、上記の処理を終了する。そして、制御部１０３は、繰り返しの終了条件が満たされた際に得られた波長分散量を、適切な波長分散補償量として決定する。このようにして得られた波長分散補償量を用いたＯＴＤＲ処理による検出結果に基づいて、故障箇所の検出が行われてもよい。繰り返しの終了条件は、例えば予め定められた繰り返し回数だけ処理が繰り返して実行されたことであってもよい。繰り返しの終了条件は、他の条件であってもよい。
【００３６】
なお、上述した２つのアルゴリズムとは異なる手段によって分散補償量が決定されてもよい。例えば、制御部１０３は、おおよその波長分散値の特定が予めなされている場合には、特定されている波長分散値に基づいて得られる波長分散補償量を用いて波長分散補償部１０２を制御してもよい。例えば、制御部１０３は、既存の波長分散推定処理を実行することによって波長分散量を推定し、推定結果に基づいて得られる波長分散補償量を用いて波長分散補償部１０２を制御してもよい。このような既存の波長分散推定処理の具体例として、特表２０１５−１４１６５８号公報に記載された技術がある。
【００３７】
次に、解析部１０６が行う処理について説明する。解析部１０６は、解析処理において用いられる値のうち、パルス光が故障箇所で反射してからＡＤＣ１７まで戻ってくるまでに要する時間（戻り時間：Ｔｒ）を以下の式を用いることによって算出する。
【数１】
2019128186.tif 000003
【００３８】
なお、式１において、Ｔｄｅｔは、パルス光が故障箇所で反射してから戻り光検出部１０５によって検出されるまでに要した検出時間を表す。また、Ｔｃａｌは、波長分散補償部１０２において実行される波長分散補償処理に要する処理時間を表す。処理時間Ｔｃａｌは、予め固定値として解析部１０６に設定されていてもよい。
【００３９】
解析部１０６は、上述した処理によって得られた戻り時間Ｔｒを用いて故障箇所を判定する。なお、戻り時間Ｔｒを用いて故障箇所を判定する技術には、既存のどのような技術が適用されてもよい。
【００４０】
図８は、測定品質を向上させるための検査信号の調整方法を示す図である。図８に示すように、パルスの検査信号を使用した検査において測定品質を向上させるためには、パワーを高める方法がある。
【００４１】
光トランシーバー１、１ａ、１ｂは、例えば、ＷＤＭ（Wavelength Division Multiplex）中に、ＯＴＤＲとして配置される。ＯＴＤＲとして配置される光トランシーバーは、空いている波長を固定で測定してもよく、空いている複数の波長をローテーションして測定してもよい。複数の波長をローテーションで測定する場合、１台の光トランシーバーが波長を変えて測定してもよく、複数台の光トランシーバーそれぞれが固定の異なる波長で測定してもよい。また、空きの波長だけでなく、ＷＤＭに用いられるすべての波長を測定できるように、該当波長で伝送している信号を切り替えながらローテーションして測定してもよい。
【００４２】
図９及び図１０は、本実施形態の光トランシーバーのＷＤＭへの適用例を示す図である。なお、図９及び図１０では、本実施形態の光トランシーバーの具体例として光トランシーバー１を示している。ただし、一部又は全ての光トランシーバー１に代えて、光トランシーバー１ａ又は光トランシーバー１ｂが適用されてもよい。図９は、１台の光トランシーバーで測定を行う場合の例を示す図である。同図に示すように、複数台の光トランシーバー１が波長合分波器６０に接続されている。トランシーバーモードの複数の光トランシーバー１は、それぞれ異なる波長の光を送受信する。波長合分波器６０は、例えば、ＡＷＧ（arrayed waveguide grating、アレイ導波路格子）、ＷＳＳ（wavelength selective switch、波長選択スイッチ）である。波長合分波器６０は、複数の光トランシーバー１から入力した異なる波長の光信号を合波して伝送路に出力する。また、波長合分波器６０は、伝送路から波長多重された光信号を入力し、入力した光信号を各波長の光信号に分波して複数の光トランシーバー１それぞれに出力する。測定時には、１台の光トランシーバー１がトランシーバーモードからＯＴＤＲモードに切り替わり動作する。なお、測定を行わない光トランシーバー１に代えて、従来の光トランシーバーを用いてもよい。
【００４３】
同図に示す構成において、ＯＴＤＲモードの光トランシーバー１は、空いている固定の波長を測定する。あるいは、ＯＴＤＲモードの光トランシーバー１は、トランシーバーモードの光トランシーバー１が使用していない空きの波長群をローテーションで変更しながら測定し、監視する。また、ＯＴＤＲモードの光トランシーバー１は、波長をλ１、λ２、λ３、…のようにスイープするように変更しながら、トランシーバーモードの光トランシーバー１が使用していない空きの波長群とトランシーバーモードの光トランシーバー１が使用している波長群とを合わせた全ての波長群を１台で測定し、監視してもよい。ＯＴＤＲモードの光トランシーバー１が測定を行っている間、トランシーバーモードの光トランシーバー１は、その測定している波長を使用しないようにする。
【００４４】
図１０は、複数台の光トランシーバーで測定を行う場合の例を示す図である。図１０において、図９に示す装置と同一の部分には同一の符号を付し、その説明を省略する。図１０では、複数の光トランシーバー１が波長合分波器６０に接続されており、測定時には、複数の光トランシーバー１がトランシーバーモードからＯＴＤＲモードに切り替わり動作する。なお、測定を行わない光トランシーバー１に代えて、従来の光トランシーバーを用いてもよい。トランシーバーモードの複数の光トランシーバー１は、それぞれ異なる波長の光を送受信する。図１０に示す構成において、ＯＴＤＲモードの複数の光トランシーバー１はローテーションで、空いている固定の波長をＯＴＤＲモードにより測定する。あるいは、ＯＴＤＲモードの複数の光トランシーバー１はそれぞれ、他のＯＴＤＲモードの光トランシーバー１とは異なる固定の空きの波長を測定してもよい。また、ＯＴＤＲモードの各光トランシーバー１がそれぞれ波長を変更することにより、空きの波長群とトランシーバーモードの光トランシーバー１が使用している波長群とを合わせた全ての波長群をＯＴＤＲモードの複数の光トランシーバー１で測定し、監視してもよい。
【００４５】
図１１及び図１２は、パルス光のパルス幅と電力との関係を示す図である。図１１は、周波数帯域が広いパルス光（時間間隔が狭いパルス光）が用いられた場合の、パルス幅と電力との変化を示す図である。図１２は、周波数帯域が狭いパルス光（時間間隔が広いパルス光）が用いられた場合の、パルス幅と電力との変化を示す図である。図１１及び図１２からわかるように、パルス幅（時間間隔）が狭いと、波長分散による波形の広がり効果が大きい。一方、パルス幅（時間間隔）が広いと、波長分散による波形の広がり効果が小さい。パルス幅が広がるとピークパワーが低減する。そのため、戻り光の感度が低下してしまい、分解能が低下してしまうおそれがある。
【００４６】
上述した実施形態によれば、ＤＳＰ１０の波長分散補償部１０２によって、反射光に対して波長分散補償処理が実行される。そのため、周波数帯域がより狭いパルス光を用いて故障箇所の検出を行うことが可能となる。その結果、分解能の低下を抑えることが可能となる。
【００４７】
また、ＤＳＰ１０の解析部１０６において故障箇所の解析処理が行われる際に用いられる戻り時間Ｔｒの値を取得する際に、波長分散補償部１０２による波長分散補償処理に要した処理時間Ｔｃａｌが除かれる。そのため、波長分散補償処理の実行による精度の低下を抑えることが可能となる。
【００４８】
また、制御部１０３によって、適切な波長分散補償量が決定される。そのため、より適切な波長分散補償処理を実行することが可能となる。その結果、より狭いパルス光を用いて故障箇所の検出を行うことが可能とり、分解能の低下を抑えることが可能となる。
【００４９】
なお、ＷＤＭ等の光通信システムに、光信号を送受信する機能及び光通信において光ファイバの特性評価を行う機能を有する上述の光送受信器である１以上の第一の光送受信器（例えば、光トランシーバー１）と、光信号の送受信を行う光送受信器である１以上の第二の光送受信器（例えば、光トランシーバー１又は従来の光トランシーバー）と、合分波器とを備えてもよい。合分波器は、第一の光送受信器及び第二の光送受信器のそれぞれから出力された波長の異なる光信号を合波した波長多重信号を出力する。また、合分波器は、波長多重された光信号を受信し、受信した光信号を分波して第一の光送受信器及び第二の光送受信器に出力する。
【００５０】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００５１】
光通信システムに利用可能である。
【符号の説明】
【００５２】
１…光トランシーバー，  １０…ＤＳＰ，  １１…ＤＡＣ，  １０１…ＦＦＴ部，  １０２…波長分散補償部，  １０３…制御部，  １０４…ＩＦＦＴ部，  １０５…戻り光検出部，  １０６…解析部，  １２…ＬＤ，  １３…ＩＱＭ，  １４…サーキュレータ，  １５…ＳＷ，  １６…ＩＣＲ，  １７…ＡＤＣ，  ２１…ＡＴＴ，  ２２…ＡＴＴ，  ２３…カプラ，  ３１…カプラ，  ３２…減衰器，  ３３…減衰器，  ３４…カプラ，  ６０…波長合分波器
【図１】
2019128186.tif 000004
【図２】
2019128186.tif 000005
【図３】
2019128186.tif 000006
【図４】
2019128186.tif 000007
【図５】
2019128186.tif 000008
【図６】
2019128186.tif 000009
【図７】
2019128186.tif 000010
【図８】
2019128186.tif 000011
【図９】
2019128186.tif 000012
【図１０】
2019128186.tif 000013
【図１１】
2019128186.tif 000014
【図１２】
2019128186.tif 000015